(57)【要約】　　　（修正有）【課題】携帯機器の表示面および化粧用携帯コンパクト、携帯用手鏡等の鏡表面、レンズを具備する機器等の汚れ除去が容易で、使用して楽しめるマスコット形クリーナーを提供する。【解決手段】クリーナー本体の表面素材が、綿素材、タオル素地、綿素地の細繊維、綿素材のパイル地等の天然素材からなり、人、動物及び物品等の任意形状の縫いぐるみとしたことを特徴とし、クリーナー本体の中身が、綿、パウダービーズ、芳香性ビーズ、脱湿性ビーズ、木粉等の材質で構成されていることを特徴とし、携帯機器に対して雌型連結部材及び雄型連結部材からなる連結部材を介して着脱自在に構成されており、汚れを拭き取る時はクリーナー本体を取り外して使用し、クリーナー本体が汚れた時もクリーナー本体を取り外して洗濯もできるように構成したことを特徴とする。【選択図】図１
0003100232.tif 000002
【実用新案登録請求の範囲】
【請求項１】
　携帯電話や携帯電子ゲーム機等の携帯機器の表示面および化粧用携帯コンパクト、携帯用手鏡等の鏡表面の汚れを容易に拭き取りできるクリーナーであって、クリーナー本体の表面素材が、綿素材、タオル素地、綿素地の細繊維、綿素材のパイル地等の天然素材からなり、人、動物及び物品等の任意形状の縫いぐるみとしたことを特徴とするマスコット形クリーナー。
【請求項２】
　クリーナー本体の中身が、綿、パウダービーズ、芳香性ビーズ、脱湿性ビーズ、木粉等の材質で構成されていることを特徴とする請求項１記載のマスコット形クリーナー。
【請求項３】
　携帯電話や携帯電子ゲーム機等の携帯機器の表示面および化粧用携帯コンパクト、携帯用手鏡等に対して、雌型連結部材及び雄型連結部材からなる連結部材を介して着脱自在に構成されており、通常は携帯電話や携帯電子ゲーム機等の携帯機器の表示面および化粧用携帯コンパクト、携帯用手鏡、レンズを具備する機器、手持ちの袋物等に取り付けられており、携帯電話や携帯電子ゲーム機等の携帯機器の表示面および化粧用携帯コンパクト、携帯用手鏡等の鏡表面の汚れを拭き取る時はクリーナー本体を取り外して使用でき、又、クリーナー本体が汚れた時もクリーナー本体を取り外して洗濯もできるように構成したことを特徴とする請求項１記載のマスコット形クリーナー。
【請求項４】
　一体型雌型連結部材を介して、複数のクリーナー本体が順次連結または互換性のあるように構成されていることを特徴とする請求項１記載のマスコット形クリーナー。
【考案の詳細な説明】
【技術分野】
【０００１】　本考案はマスコット形クリーナーに関し、特に携帯電話や携帯電子ゲーム機等の携帯機器の表示面および化粧用携帯コンパクト、携帯用手鏡等の鏡表面、レンズを具備する機器等の汚れを容易に拭き取ることができる着脱自在のマスコット形クリーナーに関する。
【背景技術】
【０００２】　従来、ストラップ用の吊り下げ具としてストラップの先端に接続体を介して２本のロープ部を分岐させ、一方は携帯電話に他方に吊り下げ具を連結して、該吊り下げ具で携帯電話のスクリーン面をクリーニングするものが考案されている。
【考案の開示】
【０００３】　特開２００１−９５６１８号公報
【考案が解決しようとする課題】
【０００４】　前記せる特開２００１−９５６１８号公報に開示されているストラップ用の吊り下げ具は、吊り下げ具でスクリーン面をクリーニングする際、吊り下げ具がストラップのロープ部に取り付けられた状態で使用する方法が図３に示されているが、非常に使用しにくいことは図３によって明白である。
【０００５】　ユーザーは常に携帯機器の表示面および化粧用携帯コンパクト、携帯用手鏡等の鏡表面の汚れがないようにして使用することを望んでおり、容易に使用しやすいクリーナーを必要とし、しかも楽しんで使用できるマスコット形クリーナーが望まれている。
【課題を解決するための手段】
【０００６】
【０００７】　本考案は前期せるような従来の課題を解決するために鋭意研究した結果、考案したものであり、携帯電話や携帯電子ゲーム機等の携帯機器の表示面及び化粧用携帯コンパクト、携帯用手鏡等の鏡表面レンズを具備する機器等の汚れを容易に拭き取りできるマスコット形クリーナーであって、クリーナー本体の表面素材が、綿素材、タオル素地、綿素地の細繊維、綿素材のパイル地等の天然素材からなり、人、動物及び物品等の任意形状の縫いぐるみとしたことを特徴とし、クリーナー本体の中身が、綿、パウダービーズ、芳香性ビーズ、脱湿性ビーズ、木粉等の材質で構成されていることを特徴とし、携帯電話や携帯電子ゲーム機等の携帯機器の表示面および化粧用携帯コンパクト、携帯用手鏡、レンズを具備する機器等に対して、雌型連結部材及び雄型連結部材からなる連結部材を介して着脱自在に構成されており、通常は該携帯機器の表示面および化粧用携帯コンパクト、携帯用手鏡、手持ちの袋物等に取り付けられており、該携帯機器の表示面および化粧用携帯コンパクト、携帯用手鏡等の鏡表面の汚れを拭き取る時はクリーナー本体を取り外して使用でき、また、クリーナー本体が汚れた時もクリーナー本体を取り外して洗濯できるように構成したことを特徴とし、且つ、一体型雌型連結部材を介して、複数のクリーナー本体が順次連結または互換性のあるように構成されていることを特徴とするマスコット形クリーナーを提供する。
【考案の効果】
【０００８】
【０００９】　本考案は、クリーナー本体６が連結部材Ａを介して着脱自在になっているので、使用時にはクリーナー本体６を取り外して使用することができ、使用し易く、指紋や手垢や汚れが付きやすい携帯電話や携帯電子ゲーム機等の携帯機器の表示面および化粧用携帯コンパクト、携帯用手鏡等の鏡表面、レンズを具備する機器等の汚れを容易に拭き取ることができる。
【００１０】　また、着脱自在であるから、使用者の好みに合わせて任意のクリーナーを一つ又は複数個連結して使用するごとができ、更にクリーナー自体が汚れた場合でも取り外して洗濯もすることができる。
【考案を実施するための最良の形態】
【００１１】
【００１２】　以下、図面に基づき本発明を実施するための最良の形態を詳細に説明する。
図面に於いて、図１は本考案のマスコット形クリーナーを携帯電話に取り付けた正面図である。【００１３】　図面に於いて、符号１は携帯電話を表示しているが、これは一実施例の表示であって、実際には携帯電話や携帯電子ゲーム機等の携帯機器の表示面および化粧用携帯コンパクト、携帯用手鏡、手持ちの袋物等に取り付けられており、携帯電話や携帯電子ゲーム機等の携帯機器の表示面および化粧用携帯コンパクト、携帯用手鏡等の鏡表面、レンズを具備する機器等の汚れを拭き取る時はクリーナー本体を取り外して使用でき、また、クリーナー本体が汚れた時もクリーナー本体を取り外して洗濯もできるように構成されている。【００１４】　符号２は細紐、符号Ａは雌型連結部材３と雄型連結部材４からなる連結部材であり、符号５は細紐、符号６はクリーナー本体を示し、該クリーナー本体６の下部には更に一体型雌型連結部材７が取り付けられているので、使用者の好みに合わせたキャラクターで形象された複数のクリーナー本体６を順次連結または互換して使用できるように構成されている。
【実施例】
【００１５】
【００１６】　本考案を実際に試作して使用に供した時、子供も大人も自分の好みに合ったキャラクターのクリーナー本体を自由に選択して取り付け、携帯電話や携帯電子ゲーム機等の携帯機器の表示面および化粧用携帯コンパクト、携帯用手鏡等の鏡表面、レンズを具備する機器等の汚れを拭き取る時はクリーナー本体を取り外して使用することができ、また、クリーナー本体が汚れた時もクリーナー本体を取り外して洗濯もでき、再び取り付けることができる。
【産業上の利用可能性】
【００１７】
【００１８】　以上説明したように、本考案のマスコット形クリーナーは使用者の好みに合わせてキャラクターを選択してマスコットとしての楽しみもあり、着脱自在であるので使用しやすく、子供も大人も楽しめるマスコット形クリーナーとしての利用可能性が高いものである。
【図面の簡単な説明】
【００１９】
【００２０】
【図１】　本考案のマスコット形クリーナーを携帯電話に取り付けた正面図である。
【符号の説明】
【００２１】１．携帯電話
２．細紐
３．雌型連結部材
４．雄型連結部材
５．細紐
６．クリーナー本体
７．一体型雌型連結部材
Ａ．連結部材
【図１】
0003100232.tif 000003